(57)【要約】【課題】使用するマイコンポートや回路部品点数を削減しプリント基板を小型化・コストダウンするために、ポンプダウン運転を行うための専用の操作手段を削除する。【解決手段】室外ユニットに複数個の温度検出手段７及び８、９と制御手段６を設け、前記複数個の温度検出手段を未接続にすることにより、ポンプダウン運転モ−ドに入ることを前記制御手段６が認識し、ポンプダウン運転を起動しかつ所定の時間が経過した時にポンプダウン運転を停止させることができる。【選択図】図１
2005308319.tif 000002
【特許請求の範囲】
【請求項１】
室外ユニットと室内ユニットとが分離して設置される空気調和機において、前記室外ユニット側に複数個の温度検出手段を備えた制御手段を有し、前記複数個の温度検出手段を同時に未接続にすることでポンプダウン運転を起動し、所定の時間が経過した時にポンプダウン運転を停止させる前記制御手段を設けたポンプダウン機能付き空気調和機。
【請求項２】
室外ユニットと室内ユニットとが分離して設置される空気調和機において、前記室外ユニット側に複数個の温度検出手段を備えた制御手段を有し、前記複数個の温度検出手段を未接続状態にしてから前記室内ユニットより通常運転することでポンプダウン運転を起動し、所定の時間が経過した時にポンプダウン運転を停止させる前記制御手段を設けたポ
ンプダウン機能付き空気調和機。
【請求項３】
室外ユニットと室内ユニットとが分離して設置される空気調和機において、前記室外ユニット側に複数個の温度検出手段を備えた制御手段を有し、前記複数個の温度検出手段を任意の間隔を置いて順次未接続にすることでポンプダウン運転を起動し、所定の時間が経過した時にポンプダウン運転を停止させる前記制御手段を設けたポンプダウン機能付き空気調和機。
【請求項４】
室外ユニットと室内ユニットとが分離して設置される空気調和機において、前記室外ユニット側に設けられたファンモ−タや電磁弁コイルなどの駆動手段を複数個未接続にすることでポンプダウン運転を起動し、所定の時間が経過した時にポンプダウン運転を停止させる前記制御手段を設けたポンプダウン機能付き空気調和機。
【発明の詳細な説明】
【技術分野】
【０００１】
本発明は、室内ユニットと室外ユニットが分離して設置される空気調和機のポンプダウン運転に関するものである。
【背景技術】
【０００２】
従来、この種の空気調和機にはサ−ビス点検や移設時に冷媒を室外ユニット側に移送するいわゆるポンプダウン運転を行なうために、室外ユニット側にポンプダウン運転専用の操作手段を備えている（例えば、特許文献１参照）。
【０００３】
図６は、特許文献１に記載された従来の空気調和機を示すものである。図６に示すように、室外ユニット１００と、室内ユニット２００が分離して設置される空気調和機において、室内ユニット１００側にポンプダウン運転を起動するための操作手段１３１を備え、前記操作手段１３１を介してポンプダウン運転を起動してから所定の時間経過した時にポンプダウン運転を停止させる制御手段１３２から構成されている。
【特許文献１】特開平５−１５７３８２号公報
【発明の開示】
【発明が解決しようとする課題】
【０００４】
しかしながら、前記従来の構成では、ポンプダウン運転を行なうために専用の操作手段を設ける必要があると共にマイコンにも専用ポ−トを一つ設ける必要があり、プリント基板のサイズ拡大やコストアップという課題を有していた。
【０００５】
本発明は、前記従来の課題を解決するもので、ポンプダウン運転を行なうために専用の操作手段を設けることなく且つ、使用するマイコンポ−ト削減、回路部品点数削減を実現しプリント基板の小型化やコスト低減することを目的とする。
【課題を解決するための手段】
【０００６】
前記従来の課題を解決するために、本発明のポンプダウン運転機能付き空気調和機においては、室外ユニット側に複数個の温度検出手段を備えた制御装置を有し、前記複数個の温度検出手段を同時に未接続にすることでポンプダウン運転モ−ドに入ることを前記制御手段が認識し、ポンプダウン運転を起動しかつ所定の時間が経過した時にポンプダウン運転を停止させるものである。
【０００７】
これによって、ポンプダウン運転を行うための専用の操作手段を設ける必要なくポンプダウン運転を行うことが可能となる。
【０００８】
また、本発明のポンプダウン運転機能付き空気調和機においては、室外ユニット側に複数個の温度検出手段を備えた制御装置を有し、前記複数個の温度検出手段を未接続状態にしてから室内ユニットより通常運転することでポンプダウン運転モ−ドに入ることを前記制御手段が認識し、ポンプダウン運転を起動しかつ所定の時間が経過した時にポンプダウン運転を停止させるものである。
【０００９】
これによって、ポンプダウン運転を行うための専用の操作手段を設ける必要なくかつ容易にポンプダウン運転を行うことが可能となる。
【００１０】
また、本発明のポンプダウン運転機能付き空気調和機においては、室外ユニット側に複数個の温度検出手段を備えた制御装置を有し、前記複数個の温度検出手段を所定の時間間
隔を置いて未接続にすることでポンプダウン運転モ−ドに入ることを前記制御手段が認識し、ポンプダウン運転を起動しかつ所定の時間が経過した時にポンプダウン運転を停止させるものである。
【００１１】
これによって、ポンプダウン運転を行うための専用の操作手段を設ける必要なくかつ容易に温度検出手段の未接続の組み合わせにより前記制御手段にいろいろな情報を送信することができかつ、ポンプダウン運転を行うことが可能となる。
【００１２】
また、本発明のポンプダウン運転機能付き空気調和機においては、室外ユニット側に設けられたファンモ−タや電磁弁コイルなどの複数個の駆動手段を未接続にすることでポンプダウン運転モ−ドに入ることを前記制御手段が認識し、ポンプダウン運転を起動しかつ所定の時間が経過した時にポンプダウン運転を停止させるものである。
【００１３】
これによって、ポンプダウン運転を行うための専用の操作手段を設ける必要なくかつ温度検出手段がＰバンに直接はんだ付けされて未接続状態にすることができないものに対しても容易にポンプダウン運転を行うことが可能となる。
【発明の効果】
【００１４】
本発明のポンプダウン機能付き空気調和機は、ポンプダウン運転を行うための専用の操作手段を設けることなく制御手段にポンプダウン運転開始の制御信号を送ることが可能となり、ポンプダウン運転を行うことができ、マイコンポ−トの削減及び回路部品点数削減を実現しプリント基板のサイズ小型化やコスト低減、設計の自由度を増やすことができる。
【発明を実施するための最良の形態】
【００１５】
第１の発明は、室外ユニット側に複数個の温度検出手段を備えた制御装置を有し、前記複数個の温度検出手段を同時に未接続にすることでポンプダウン運転モ−ドに入ることを前記制御手段が認識することにより、ポンプダウン運転を行うための専用の操作手段を設ける必要なくポンプダウン運転を行うことが可能となりマイコンポ−トの削減及び回路部品点数削減を実現しプリント基板のサイズ小型化やコスト低減、設計の自由度を増やすことができる。
【００１６】
第２の発明は、複数個の温度検出手段を未接続状態にしてから室内ユニットより通常運転することでポンプダウン運転モ−ドに入ることを前記制御手段が認識することにより、同時に複数個の温度検出手段を未接続にする作業を容易に行うことができることとなり、ポンプダウン運転を行うための専用の操作手段を設ける必要なくポンプダウン運転を行うことが可能となりマイコンポ−トの削減及び回路部品点数削減を実現しプリント基板のサイズ小型化やコスト低減、設計の自由度を増やすことができる。
【００１７】
第３の発明は、複数個の温度検出手段を所定の時間間隔を置いて未接続にすることでポンプダウン運転モ−ドに入ることを前記制御手段が認識することにより、同時に複数個の温度検出手段を未接続にする作業を容易に行うことができることとなり、ポンプダウン運転を行うための専用の操作手段を設ける必要なくかつ容易に温度検出手段の未接続の組み合わせにより前記制御手段にいろいろな情報を送信することができかつポンプダウン運転を行うことが可能となりマイコンポ−トの削減及び回路部品点数削減を実現しプリント基板のサイズ小型化やコスト低減、設計の自由度を増やすことができる。
【００１８】
第４の発明は、室外ユニット側に設けられたファンモ−タや電磁弁コイルなどの複数個の駆動手段を未接続にすることでポンプダウン運転モ−ドに入ることを前記制御手段が認識することにより、ポンプダウン運転を行うための専用の操作手段を設ける必要なくかつ
温度検出手段がＰバンに直接はんだ付けされて未接続状態にすることができないものに対しても容易にポンプダウン運転を行うことが可能となりマイコンポ−トの削減及び回路部品点数削減を実現しプリント基板のサイズ小型化やコスト低減、設計の自由度を増やすことができる。
【００１９】
以下、本発明の実施の形態について、図面を参照しながら説明する。なお、この実施の形態によって本発明が限定されるものではない。
【００２０】
（実施の形態１）
図１は、本発明の第１の実施形態におけるポンプダウン機能付き空気調和機のブロック図を示すものである。
【００２１】
図１において、１は室内ユニット側の電源回路手段であり、室内電源コンセントより供給される商用交流電源を整流し、２の室内制御手段へ供給している。また、３は受信手段であり、４の遠隔操作手段の信号を前記室内制御手段に伝達し室内ユニットを制御する。また、室外ユニット側にも電源回路手段５及び制御手段６を有するものである。また、７は温度検出手段１、８は温度検出手段２、９は温度検出手段ｎと複数個の検出手段が前記制御手段６に接続されている。また、圧縮機を駆動するとともに駆動フィ−ドバック信号を検出する回路を備えた駆動手段１０、室外ファンモ−タを駆動するとともに駆動フィ−ドバック信号を検出する回路を備えた駆動手段１１より構成している。
【００２２】
以上のように構成されたポンプダウン機能付き空気調和機について、以下その動作、作用を説明する。
【００２３】
まず、本実施の形態１における動作の流れを示すフロ−チャ−ト２を用いて制御流れを説明する。図２において最初に室内側に電源が投入され（ＳＴ１）、次に運転開始信号が入力されたかを判断し（ＳＴ２）、ＮＯの場合に温度検出手段７の入力があるかを判断する。（ＳＴ６）信号があれば前記ＳＴ２へ戻る。また、信号が無ければ温度検出手段８の入力があるかを判断する（ＳＴ７）。この時点で信号があれば前記温度検出手段７が異常であるため異常表示（ＳＴ８）を行い。運転停止（ＳＴ５）の状態を継続する。また、信号が無ければ次のＮ個目の温度検出手段９の入力があるかを判断する（ＳＴ９）。この時点で信号があれば前記温度検出手段７及び８が異常であるため異常表示（ＳＴ８）を行い、運転停止（ＳＴ５）の状態を継続する。また信号が無ければポンプダウン運転を開始する（ＳＴ１０）。
【００２４】
次にタイマ−をセットし（ＳＴ１１）所定時間が経過したかを判断する。（ＳＴ１２）所定時間が経過していなければこのル−チンを繰り返し、所定時間が経過するとポンプダウン運転を停止し（ＳＴ１３）、最初に戻る。前記（ＳＴ２）において運転開始信号があれば、通常運転を行い（ＳＴ３）、次に運転停止信号が来るまでこの判断を繰返し行う（ＳＴ４）。次に、運転停止信号が来れば運転を停止し（ＳＴ５）、最初に戻る。
【００２５】
以上のように、本実施の形態においては前記複数個の温度検出手段を同時に未接続にすることでポンプダウン運転モ−ドに入ることを前記制御手段が認識することにより、ポンプダウン運転を行うための専用の操作手段を設ける必要なくポンプダウン運転を行うことが可能となりマイコンポ−トの削減及び回路部品点数削減を実現しプリント基板のサイズ小型化やコスト低減、設計の自由度を増やすことができる。
【００２６】
また、本実施の形態２における動作の流れを示すフロ−チャ−ト３を用いて制御流れを説明する。図３において最初に室内側に電源が投入され（ＳＴ１４）、次に運転開始信号が入力されたかを判断し（ＳＴ１５）、ＮＯの場合に温度検出手段７及び温度検出手段８
及び温度検出手段Ｎの複数個の入力が同時にあるかを判断する（ＳＴ１９）。信号があれば前記ＳＴ１５へ戻る。また、信号が無ければ運転開始信号ガあるかを判断する（ＳＴ２０）。この時点で信号がなければ運転開始信号が来るまでこの判断を繰返し行う（ＳＴ２０）。
【００２７】
次に運転開始信号が入ればポンプダウン運転を開始する（ＳＴ２１）。次にタイマ−をセットし（ＳＴ２２）所定時間が経過したかを判断する（ＳＴ２４）。所定時間が経過していなければこのル−チンを繰り返し、所定時間が経過するとポンプダウン運転を停止し（ＳＴ１３）最初に戻る。前記（ＳＴ１５）において運転開始信号があれば、通常運転を行い。（ＳＴ１６）次に運転停止信号が来るまでこの判断を繰返し行う（ＳＴ１７）。次に、運転停止信号が来れば運転を停止し（ＳＴ１８）、最初に戻る。
【００２８】
以上のように、本実施の形態においては前記複数個の温度検出手段を運転開始前に未接続にすることで容易に前記複数個の温度検出手段を同時に未接続にすることができ、ポンプダウン運転モ−ドに入ることを前記制御手段が認識することにより、ポンプダウン運転を行うための専用の操作手段を設ける必要なくポンプダウン運転を行うことが可能となりマイコンポ−トの削減及び回路部品点数削減を実現しプリント基板のサイズ小型化やコスト低減、設計の自由度を増やすことができる。
【００２９】
また、本実施の形態３における動作の流れを示すフロ−チャ−ト４を用いて制御流れを説明する。図４において最初に室内側に電源が投入され（ＳＴ２５）、次に運転開始信号が入力されたかを判断し（ＳＴ２６）、ＮＯの場合に温度検出手段７の入力があるかを判断する（ＳＴ３０）。信号があれば前記ＳＴ２６へ戻る。また、信号が無ければタイマ−セットを行い（ＳＴ３１）所定時間が経過したかを判断する（ＳＴ３２）。所定時間が経過していなければこのル−チンを繰り返し、所定時間が経過すると温度検出手段８の入力があるかを判断する（ＳＴ３３）。この時点で信号があれば前記温度検出手段７が異常であるため異常表示（ＳＴ３４）を行い、運転停止（ＳＴ２９）の状態を継続する。また、信号が無ければタイマ−セットを行い（ＳＴ３５）所定時間が経過したかを判断する（ＳＴ３６）。所定時間が経過していなければこのル−チンを繰り返し、所定時間が経過すると次のＮ個目の温度検出手段９の入力があるかを判断する（ＳＴ３７）。
【００３０】
この時点で信号があれば前記温度検出手段７及び８が異常であるため異常表示（ＳＴ３４）を行い。運転停止（ＳＴ２９）の状態を継続する。また信号が無ければポンプダウン運転を開始する（ＳＴ３８）。次にタイマ−をセットし（ＳＴ３９）、所定時間が経過したかを判断する（ＳＴ４０）。所定時間が経過していなければこのル−チンを繰り返し、所定時間が経過するとポンプダウン運転を停止し（ＳＴ４１）、最初に戻る。前記（ＳＴ２６）において運転開始信号があれば、通常運転を行い（ＳＴ２７）、次に運転停止信号が来るまでこの判断を繰返し行う（ＳＴ２８）。次に、運転停止信号が来れば運転を停止し（ＳＴ２９）、最初に戻る。
【００３１】
以上のように、本実施の形態においては前記複数個の温度検出手段を所定の時間間隔を置いて未接続にすることでポンプダウン運転モ−ドに入ることを前記制御手段が認識することにより、同時に複数個の温度検出手段を未接続にする作業を容易に行うことができることとなり、ポンプダウン運転を行うための専用の操作手段を設ける必要なくかつ容易に温度検出手段の未接続の組み合わせにより前記制御手段にいろいろな情報を送信することができかつポンプダウン運転を行うことが可能となりマイコンポ−トの削減及び回路部品点数削減を実現しプリント基板のサイズ小型化やコスト低減、設計の自由度を増やすことができる。
【００３２】
また、本実施の形態４における動作の流れを示すフロ−チャ−ト５を用いて制御流れを
説明する。図５において最初に室内側に電源が投入され（ＳＴ４２）、次に運転開始信号が入力されたかを判断し（ＳＴ４３）、ＮＯの場合に圧縮機駆動手段１０のフィ−ドバック信号（図中ではＦＢ信号と略記）の入力があるかを判断する（ＳＴ４７）。信号があれば前記ＳＴ４３へ戻る。また、信号が無ければ室外ファンモ−タ駆動手段１１のフィ−ドバック信号の入力があるかを判断する（ＳＴ４８）。この時点で信号があれば前記圧縮機駆動手段１０が異常であるため異常表示（ＳＴ４９）を行い。運転停止（ＳＴ４６）の状態を継続する。また、信号が無ければポンプダウン運転を開始する（ＳＴ５０）。
【００３３】
次にタイマ−をセットし（ＳＴ５１）、所定時間が経過したかを判断する（ＳＴ５２）。所定時間が経過していなければこのル−チンを繰り返し、所定時間が経過するとポンプダウン運転を停止し（ＳＴ５３）、最初に戻る。前記（ＳＴ４３）において運転開始信号があれば、通常運転を行い（ＳＴ４４）、次に運転停止信号が来るまでこの判断を繰返し行う（ＳＴ４５）。次に、運転停止信号が来れば運転を停止し（ＳＴ４６）、最初に戻る。
【００３４】
以上のように、本実施の形態においては室外ユニット側に設けられたファンモ−タやポンプダウン運転に必要のない２方弁等の電磁弁コイルなどの複数個の駆動手段を未接続にすることでポンプダウン運転モ−ドに入ることを前記制御手段が認識することにより、ポンプダウン運転を行うための専用の操作手段を設ける必要なくかつ温度検出手段がＰバンに直接はんだ付けされて未接続状態にすることができないものに対しても容易にポンプダウン運転を行うことが可能となり、マイコンポ−トの削減及び回路部品点数削減を実現しプリント基板のサイズ小型化やコスト低減、設計の自由度を増やすことができる。
【産業上の利用可能性】
【００３５】
以上のように、本発明にかかるポンプダウン機能付き空気調和機は、ポンプダウン運転を行うための専用の操作手段を設けることなく制御手段にポンプダウン運転開始の制御信号を送ることが可能となるので、多室型空気調和機の用途にも適用できる。
【図面の簡単な説明】
【００３６】
【図１】本発明の実施の形態１におけるポンプダウン機能付き空気調和機のブロック図
【図２】本発明の実施の形態１におけるポンプダウン機能付き空気調和機のフロ−チャ−ト
【図３】本発明の実施の形態２におけるポンプダウン機能付き空気調和機のフロ−チャ−ト
【図４】本発明の実施の形態３におけるポンプダウン機能付き空気調和機のフロ−チャ−ト
【図５】本発明の実施の形態４におけるポンプダウン機能付き空気調和機のフロ−チャ−ト
【図６】従来のポンプダウン機能付き空気調和機の系統図
【符号の説明】
【００３７】
１  電源回路手段
２  室内制御手段
３  受信手段
４  遠隔装置手段
５  電源回路手段
６  制御手段
７  温度検出手段１
８  温度検出手段２
９  温度検出手段Ｎ
１０  圧縮機駆動手段
１１  室外ファンモ−タ駆動手段
【図１】
2005308319.tif 000003
【図２】
2005308319.tif 000004
【図３】
2005308319.tif 000005
【図４】
2005308319.tif 000006
【図５】
2005308319.tif 000007
【図６】
2005308319.tif 000008